(57)【要約】【課題】  サイドステップを広げて足の踏み外しを防止すると共に、肥料タンクのタンク容量を大きくする。【解決手段】  乗用田植機１０は、操縦部２０の足元のフロアステップ２１の左右両側に形成されたサイドステップ２２と、該サイドステップ２２よりも前方の機体左右両側に配設された肥料タンク４５と、を備えていて、肥料タンク４５の後部をサイドステップ２２の前部の上方に平面視重合させ、かつサイドステップ２２を平面視運転操作パネル５３の後端位置と略々一致する位置まで機体前方に延設することで、サイドステップ２２の前端がどれだけ前に延設しているか見えずわかり難いところ、運転操作パネル５３の後端位置を基準とすることで、足の踏み外しを防止している。【選択図】      図４
2005143459.tif 000002
【特許請求の範囲】
【請求項１】
走行機体上に配設された操縦部と、該操縦部足元に形成されたフロアステップの機体左右両側に形成されたサイドステップと、該サイドステップ前方の機体左右両側に配設された肥料タンクと、を備えた農作業機において、
前記肥料タンクの後部を前記サイドステップ前部の上方に平面視重合させ、かつ前記サイドステップを平面視運転操作パネルの後端位置と略々一致する位置まで機体前方に延設した、
ことを特徴とする農作業機。
【請求項２】
前記走行機体に昇降自在に支持されかつ苗を載置する苗載せ台を有する移植部と、前記苗載せ台に苗を補給する補助苗載せ台と、を備え、前記補助苗載せ台を、前記左右両側の各肥料タンクの左右外側方に立設した、
ことを特徴とする請求項１記載の農作業機。
【発明の詳細な説明】
【技術分野】
【０００１】
本発明は乗用田植機等の農作業機に関し、特にサイドステップの前方の機体左右両側に肥料タンクを備えた農作業機に関する。
【背景技術】
【０００２】
従来の乗用田植機において、運転席の座席シートの足元にはフロアステップが形成され、該フロアステップの左右両側には、オペレータが乗車したまま機体後部に行くための幅広な作業用のサイドステップが配設されている。これは、大型の乗用田植機（８条植え等）にあっては苗載せ台の幅が広いので、機体前方の補助苗載せ台から後方の苗載せ台への苗補給を容易にするために、一般に幅広のサイドステップが用いられている。
【０００３】
また、このサイドステップ前方の機体左右両側には、圃場に施肥するための肥料を収容した肥料タンクが配置されていて、この肥料タンクの上方には、該肥料タンクに肥料を供給すべく該肥料を収容した供給タンクが取付けられている。この肥料タンクも、大型の乗用田植機にあっては、条数の少ないものより肥料も多量に収容する必要がある。更に、該供給タンクの上方には、補給苗を載置した補助苗載せ台が取付けられたものが公知である（例えば、特許文献１参照）。
【０００４】
一方、他の従来例として、フロアステップの左右両側にサイドステップが形成され、このサイドステップの前方に、平面視所定間隔を隔てて肥料タンクが配設されたものが公知である。ここで、大型の乗用田植機では、苗載せ台の幅が広いので肥料タンクを前方に延ばすと枕地での回行の妨げとなるため、肥料タンクを大きくするには、ある程度機体後方に延ばすことが必要である等の事情が背景にある（例えば、特許文献２参照）。
【０００５】
【特許文献１】特開２０００−２０９９１７号公報（第３頁、図１）
【特許文献２】特開２００３−７９２０８号公報（第２頁−第３頁、図１）
【発明の開示】
【発明が解決しようとする課題】
【０００６】
しかし、上述した特許文献１の技術によると、肥料タンクの上方に供給タンクが取付けられ、更に該供給タンクの上方に、苗載せ台ステ−を介して補助苗載せ台が取付けられていたため、該補助苗載せ台は機体上方に向けて高く延設されることとなり、この上方に延設された補助苗載せ台の存在によって、機体前部を広く使うことができなかった。
【０００７】
また、上述した特許文献２の技術によると、サイドステップの前方に、平面視所定間隔を隔てて肥料タンクが配設されており、オペレータにとって肥料タンク下方のサイドステップは見えないため、該サイドステップ前部がどれだけ前方に延設されているかわかりにくく、該サイドステップから足を踏み外すおそれがあった。
【０００８】
本発明は、斯かる課題を解決するためになされたもので、その目的とするところは、サイドステップを広げて足の踏み外しを防止すると共に、肥料タンクのタンク容量を大きくすることのできる農作業機を提供することにある。
【課題を解決するための手段】
【０００９】
前記目的を達成するため、請求項１に係る発明は、走行機体（１４）上に配設された操縦部（２０）と、該操縦部（２０）足元に形成されたフロアステップ（２１）の機体左右両側に形成されたサイドステップ（２２）と、該サイドステップ（２２）前方の機体左右両側に配設された肥料タンク（４５）と、を備えた農作業機（１０）において、
前記肥料タンク（４５）の後部を前記サイドステップ（２２）前部の上方に平面視重合させ、かつ前記サイドステップ（２２）を平面視運転操作パネル（５３）の後端位置と略々一致する位置まで機体前方に延設した、ことを特徴とする。
【００１０】
請求項２に係る発明は、請求項１記載の農作業機において、前記走行機体（１４）に昇降自在に支持されかつ苗を載置する苗載せ台（２８）を有する移植部（２４）と、前記苗載せ台（２８）に苗を補給する補助苗載せ台（７０）と、を備え、前記補助苗載せ台（７０）を、前記左右両側の各肥料タンク（４５）の左右外側方に立設した、ことを特徴とする。
【００１１】
なお、上述した括弧内の符号は図面を参照するために示すものであって、本発明を何ら限定するものではない。
【発明の効果】
【００１２】
請求項１に係る発明によれば、肥料タンクの後部をサイドステップ前部の上方に平面視重合させ、かつサイドステップを平面視運転操作パネルの後端位置と略々一致する位置まで機体前方に延設したので、サイドステップの前部が広くなり、該サイドステップから足を踏み外すのをなくすことができると共に、例えば、乗車したまま機体前方の補助苗載せ台から苗を取出して機体後方の苗載せ台に移載する際の補給作業を容易に行うことができる。
【００１３】
請求項２に係る発明によれば、移植部の苗載せ台に苗を補給する補助苗載せ台を備え、該補助苗載せ台を、左右両側の各肥料タンクの左右外側方に立設したので、肥料タンクを大型化してタンク容量を大きくすることができると共に、補助苗載せ台を肥料タンクから立設した場合に比して上方に高く延設されないで、低く配設することができる。これにより、機体前部を広く使うことができる。
【発明を実施するための最良の形態】
【００１４】
以下、図面に基づき本発明の実施の形態を説明する。
【００１５】
図１乃至図３は、８条植えの乗用田植機を示している。この乗用田植機１０は、前輪１１及び後輪１２に支持された走行機体１４を有し、該走行機体１４の前部のボンネット１６内にはエンジン１７が搭載され、その後方にステアリングホイール１９及び座席シート１８を有する操縦部２０が配設されている。ステアリングホイール１９の下方には、各種計器類が配置された運転操作パネル５３が配設されている。また、操縦部２０において、足元の機体幅方向の中央側にはフロアステップ２１が形成され、該フロアステップ２１の左右両側にはサイドステップ２２，２２が形成されている。更に、左右のサイドステップ２２，２２の夫々の後方には、該サイドステップ２２の後端部から後方に向けて高く傾斜する高位置にリヤステップ５６，５６が形成されている。
【００１６】
走行機体１４の前部で、エンジン１７の後方にはトランスミッション３８が取付けられ、該トランスミッション３８の上方にはラジエータ４０が配設されている。このラジエータ４０には、前方にラジエータファン４０ａが設けられ、該ラジエータ４０の直後には、オイルクーラ４２が配置されている。このオイルクーラ４２の機体左側には、ＨＳＴ（油圧式無段変速装置）４１が配置され、該ＨＳＴ４１の外側方にはＨＳＴファン（図示せず）が設けられている。また、エンジン１７の後方には、清浄な空気を供給するエアクリーナ４９が配設され、更に、該エンジン１７の前方には、マフラ出口パイプ４８が突設され、該マフラ出口パイプ４８が左側方に延びるように配管されている。このマフラ出口パイプ４８を介して、エンジン１７の左側方にマフラ４３が配置され、また、エンジン１７の右側方にはバッテリ４４が配置されている。なお、ラジエータファン４０ａは、機体前方に向けて冷却風を送風してエンジン１７を冷却し、該エンジン１７によって冷却された空気はボンネット１６の前部に形成された排風口６３（図４参照）から機外に排出される。
【００１７】
また、機体前部のボンネット１６を挟んで、その左右両側方には肥料タンク４５が配置されていて、該肥料タンク４５は、走行機体１４側に固定された図示しないタンクステーを介して取付けられている。この肥料タンク４５内の肥料は、座席シート１８の下方に配設された施肥繰出装置４６により、後述する植付部２４の下方に取付けられたノズル（図示せず）から圃場に施肥される。
【００１８】
一方、走行機体１４の後方には、アッパリンク２３ａとロアリンク２３ｂを有する昇降リンク機構２３を介して植付部２４が油圧シリンダ２５によって昇降自在に支持されている。昇降リンク機構２３の後端部には、リンクホルダ２６が軸着されていて（図１参照）、植付部２４は、このリンクホルダ２６から後方に突出されたローリング軸（図示せず）により走行機体１４の左右傾斜にかかわらず田面に追随可能にローリング自在に支持されている。この植付部２４は、マット苗を載置して後方が低くなるように前後に傾斜配置された苗載せ台２８と、機体左右方向に延びる角筒状の植付部フレーム３２と、該植付部フレーム３２に固定された伝動ケース３１から後方に延出する複数の植付用の植付ケース３０と、該植付ケース３０の後端部に設けられ植付杆２９を有するロータリケース３３と、を備えている。伝動ケース３１には、植付ＰＴＯ軸３５から動力が供給されている。植付ケース３０の下方には、滑走機能を有するフロート３４が取付けられている。
【００１９】
なお、植付部２４の前方でかつ後輪１２の後方との間の空間には、複数のかご型ロータ３６が所定間隔で取付けられていて、このかご型ロータ３６により、圃場の植付面を代掻きして、平滑に代掻きされた圃場に植付杆２９によって苗が植付けられる。このかご型ロータ３６は、各フロート３４の前方において機体左右方向に横設されたロータリ軸３７に支持されている。
【００２０】
また、前輪１１と後輪１２の機体前後方向の中間部で、かつフロアステップ２１ないし右側のサイドステップ２２の下方に燃料タンク５０が設けられ、該燃料タンク５０の給油部は、サイドステップ２２とリヤステップ５６とをつなぐ立上り連結部に配設している。すなわち、サイドステップ２２とリヤステップ５６とは、該サイドステップ２２の後端部から後方に向けて高くなるように傾斜する立上り連結部によって連結されている。
【００２１】
以上において、図３に示すように、肥料タンク４５の後部は、サイドステップ２２の前部の上方に平面視重合していると共に、サイドステップ２２は平面視運転操作パネル５３の後端位置と略々一致する位置まで機体前方に延設されている。
【００２２】
これは、肥料タンク４５を機体前方に延ばすと機体回行時の妨げとなるため、機体後方に延ばしてタンク容量を大きくすると共に、肥料タンク４５を機体後方に延ばした場合、オペレータにとって肥料タンク４５の下方のサイドステップ２２の部分は見えないため、該サイドステップ２２の前部がどれだけ前方に延設されているかわかりにくい。このため、サイドステップ２２から足を踏み外すおそれがあるが、本実施形態のように、サイドステップ２２の前部を平面視運転操作パネル５３の後端位置と略々一致する位置まで機体前方に延設することでステップ部が広くなり、オペレータは、サイドステップ２２の前端部がどの辺まで延設されているかを概略把握することができるため、足の踏み外しを防止することができる。
【００２３】
次に、図３及び図４には、補助苗載せ台７０の取付状態が示されている。すなわち、ボンネット１６を挟んでその機体左右両側に肥料タンク４５が設けられ、該肥料タンク４５の左右外側方に補助苗載せ台７０が立設されている。
【００２４】
補助苗載せ台７０は、上下複数段に略々等間隔で配置された苗台プレート７０ａを有し、これらの苗台プレート７０ａが、走行機体１４側に固定されかつ該走行機体１４から立設された苗台ステ−７１と、左右の補助苗載せ台７０を接続する連結ステ−７２によって強固に支持されている。
【００２５】
本実施形態によれば、補助苗載せ台７０を、左右両側の各肥料タンク４５の左右外側方に立設したので、該肥料タンク４５の上方には障害となるものは何もなく、タンク容量を大きくすることができると共に、多少上方に延びても不都合はない。また、補助苗載せ台７０を肥料タンク４５の上部に重ねて立設した場合は、該補助苗載せ台７０が邪魔になって肥料タンク４５への補給作業も煩雑となると共に、補助苗載せ台７０が肥料タンク４５から上方に高く延設され、機体前部の上方空間の利用が規制される上、支持強度に関しても不安定となり易い。しかし、本実施形態のように、肥料タンク４５の外側方から補助苗載せ台７０を立設すれば、補助苗載せ台７０の高さを低く立設することで済み、これにより機体前部の上方空間を有効に利用することができる。
【図面の簡単な説明】
【００２６】
【図１】本発明が適用された農作業機としての乗用田植機の側面図である。
【図２】同上の補助苗載せ台を省略した部分断平面図である。
【図３】同上の補助苗載せ台を備えた平面図である。
【図４】乗用田植機の前部の側面図である。
【符号の説明】
【００２７】
１０      乗用田植機（農作業機）
１４      走行機体
２０      操縦部
２１      フロアステップ
２２      サイドステップ
２４      植付部（移植部）
２８      苗載せ台
４５      肥料タンク
５３      運転操作パネル
７０      補助苗載せ台
【図１】
2005143459.tif 000003
【図２】
2005143459.tif 000004
【図３】
2005143459.tif 000005
【図４】
2005143459.tif 000006